(57)【要約】【課題】指等の測定箇所へ装着するときに発光素子と受光素子の位置決めの手間を省き、取り付けるだけで発光素子と受光素子が相対した位置関係にあるように装着できる医療用測定装置を提供する。【解決手段】医療用測定装置Ｓは、指先を挟むことができるように側面視略「Ｊ」字形状に形成してある装着体１と、センサ保持部材３と、センサ保持部材３を覆う剥離シート４を備えている。センサ保持部材３は、発光素子２２と受光素子２３を備えており、発光素子２２と受光素子２３は、装着体１に対して相対するように設けてある。【選択図】　　　　図１
2004049579.tif 000002
【特許請求の範囲】
【請求項１】
測定箇所に装着可能な保形性を有する装着部を有し、当該装着部には、発光素子と受光素子とが予め相対した位置関係に配置されており、当該位置関係は、予め決められた位置関係を変えることなく測定箇所へ装着するときも保つことができるようにしたことを特徴とする、
医療用測定装置。
【請求項２】
装着部は、所要長さを有する板状体を曲げて、測定箇所を挟むことができる形状に形成してあることを特徴とする、
請求項１記載の医療用測定装置。
【請求項３】
測定箇所に固定した状態を維持するための粘着または接着手段が設けてあることを特徴とする、
請求項１または２記載の医療用測定装置。
【発明の詳細な説明】
【０００１】
【発明の属する技術分野】
本発明は、発光素子から光を照射し、装着した指等の測定箇所を透過した光を受光素子で受けることにより、例えば、酸素飽和度や脈拍等が測定できる医療用測定装置に関する。更に詳しくは、指等の測定箇所へ装着するときに発光素子と受光素子の位置決めの手間を省いたものに関する。
【０００２】
【従来技術】
従来、例えば、血液中の酸素飽和度を指先で測定する場合としては、図５及び図６に示すような測定装置が使用されている。
図５は従来の酸素飽和度測定装置を示す斜視説明図、図６は図５に示す酸素飽和度測定装置の使用状態説明図である（従来例としては、例えば、特開昭６０−３４４３２号がある）。
【０００３】
図５を参照する。酸素飽和度測定装置９は、上面に粘着層が設けてあるシート基材９０を備えている。シート基材９０の両長辺側の略中央には、相対して凹部９００，９００が形成してある。シート基材９０には、所要間隔を設けて通孔９２０，９２１が形成された帯状のセンサ保持部材９２が接着してある。センサ装置は発光素子９１０と受光素子９１１を備えており、これは発光素子９１０を通孔９２０に対応させて、受光素子９１１を通孔９２１に対応させてセンサ保持部材９２に設けてある。シート基材９０の表面には、透明な剥離シート９３が貼り付けてある。酸素飽和度測定装置９は全体として柔軟性を有している。図５は剥離シート９３が最上部に位置した状態を示している。
【０００４】
酸素飽和度測定装置９は、剥離シート９３をシート基材９０及びセンサ保持部材９２より剥がし、指先をシート基材９０の凹部９００，９００の間に当てて、シート基材９０とセンサ保持部材９２を折り曲げて指の腹側と背側に貼り付けることで装着される（図６参照）。そして、発光素子９１０から光を照射し、指を透過した光を受光素子９１１で受けることによって血液中の酸素飽和度が測定される。
【０００５】
【発明が解決しようとする課題】
しかし、上記した従来の酸素飽和度測定装置９には、次のような課題があった。
即ち、従来の酸素飽和度測定装置９は、全体として柔軟性を有しているので、取り付ける者の技量によっては発光素子９１０と受光素子９１１が相対せず、ずれた状態で取り付けられてしまうことがあった。酸素飽和度測定装置９は、指を透過した光によって血液中の酸素飽和度を測定するものであるため、発光素子９１０と受光素子９１１が相対しておらずずれていれば、正しい値を測定することができない。このような状態で本来の値とは異なる値を測定してしまった場合では、誤った処方をしてしまうことも考えられ、危険である。
【０００６】
（本発明の目的）
本発明の目的は、指等の測定箇所へ装着するときに発光素子と受光素子の位置決めの手間を省き、取り付けるだけで発光素子と受光素子が相対した位置関係にあるように装着できる医療用測定装置を提供することにある。
【０００７】
【課題を解決するための手段】
上記目的を達成するために講じた本発明の手段は次のとおりである。
第１の発明にあっては、
測定箇所に装着可能な保形性を有する装着部を有し、当該装着部には、発光素子と受光素子とが予め相対した位置関係に配置されており、当該位置関係は、予め決められた位置関係を変えることなく測定箇所へ装着するときも保つことができるようにしたことを特徴とする、
医療用測定装置である。
【０００８】
第２の発明にあっては、
装着部は、所要長さを有する板状体を曲げて、測定箇所を挟むことができる形状に形成してあることを特徴とする、
第１の発明に係る医療用測定装置である。
【０００９】
第３の発明にあっては、
測定箇所に固定した状態を維持するための粘着または接着手段が設けてあることを特徴とする、
第１または第２の発明に係る医療用測定装置である。
【００１０】
本発明に係る医療用測定装置は、特に限定するものではないが、例えば、血液中の酸素飽和度や、脈拍を測定するものとして使用することができる。
【００１１】
本発明に係る医療用測定装置が装着可能な測定部材は、特に限定するものではないが、例えば、指先（手、足）、鼻、耳（耳たぶ）、足の裏から甲にかけての部分、手のひらから甲にかけての部分等を挙げることができる。
【００１２】
（作　用）
本発明に係る医療用測定装置は、装着部を測定箇所に装着するときでも、予め相対した位置関係に配置された発光素子と受光素子とが、予め決められた位置関係を変えることなく装着できる。
【００１３】
装着部が、所要長さを有する板状体を曲げて、測定箇所を挟むことができる形状に形成してあるものは、上記板状体で測定箇所を挟むだけで装着できる。
【００１４】
測定箇所に固定した状態を維持するための粘着または接着手段が設けてあるものは、粘着または接着手段を測定箇所に貼り付けることにより、医療用測定装置が測定箇所に固定された状態が維持できる。
【００１５】
【発明の実施の形態】
本発明の実施の形態を図面に基づき更に詳細に説明する。
図１は本発明に係る医療用測定装置の一実施の形態を示す使用状態説明図、
図２は図１に示す医療用測定装置の側面図、
図３はセンサ装置の発光素子や受光素子等をセンサ保持部材に備える状態を示す説明図、
図４は装着体とセンサ保持部材と剥離シートを一体に設ける状態を示す分解斜視説明図である。
なお、図２及び図４における想像線は、変形する前の装着体の常態における形状を示している。
【００１６】
符号Ｓは医療用測定装置を示している。医療用測定装置Ｓは、保形性を有する装着部である装着体１と、センサ装置と、センサ装置の発光素子２２（後述）や受光素子２３（後述）等を備えるセンサ保持部材３と、センサ保持部材３を覆う剥離シート４（図４参照）を備えている。
なお、本実施の形態で示す医療用測定装置Ｓは、指先に装着するのに好適なものを示している。しかし、医療用測定装置Ｓは、測定箇所を指先に限定するものではなく、鼻や耳（特に耳たぶ）に対しても使用することができる。
【００１７】
各部の構成について説明する。
装着体１は、準剛性、可撓性または弾性を有する所要幅の薄板状体を曲げて、測定箇所（本実施の形態では指先）を挟むことができるように側面視略「Ｊ」字形状に形成してある。装着体１は、常態で「Ｊ」字形状を保つ保形性を有しており（図１及び図２参照）、指に装着した際に指の背側に配置される部分（長片側Ａ）と指の腹側に配置される部分（短片側Ｂ）が、指が差し込まれていない状態で互いに略平行に形成してある。なお、装着体１は、弾性力に抗して上記「Ｊ」字形状から変形させて略平板状にすることが可能である。
装着体１は、曲げた部分（湾曲部１０）の内側に指先が当たるように差し込んで嵌めたときに、長片側Ａの端部が、背側の中節骨と基節骨の間の近位指節間関節７０（いわゆる第二関節）より指先側に位置し、短片側Ｂの端部が、腹側の末節骨と中節骨の間の遠位指節間関節７１（いわゆる第一関節）より指先側に位置する大きさを有している。
【００１８】
センサ装置は、外皮ケーブル２０を切除して露出させた二本の絶縁コード２１ａ，２１ｂを有し、一方の絶縁コード２１ａの先端に光を発する発光素子２２と、他方の絶縁コード２１ｂの先端に光を受ける受光素子２３を備えた構造を有している。発光素子２２と受光素子２３は、合成樹脂製の取着基板２４ａ、２４ｂに取り付けてある。センサ装置は、公知技術のものを使用したので、詳細な説明は省略する。
【００１９】
センサ保持部材３は、表面と裏面（両面）の略全面に粘着手段である粘着層（接着層）が設けられた柔軟性を有する合成樹脂シートで形成してある。センサ保持部材３は、シートの長さ方向の二箇所に折り曲げ線３０，３０を設け、装着体１と略同じ幅になるように、長さ方向に沿う両側を内側に折り曲げて形成される。
【００２０】
このセンサ保持部材３のうち折り曲げ線３０，３０で挟まれた内側において、一端側と中央よりやや他端側寄りの箇所には、それぞれ貫通した通孔３１，３２が形成されている。この通孔３１と通孔３２は、一端側の通孔３１を指の腹側（もしくは背側）の所要位置に設け、他端側の通孔３２を指の背側（もしくは腹側）に折り返して設けたときに、通孔３１と通孔３２が相対する位置に設けられる間隔で形成されている。
【００２１】
センサ保持部材３には、発光素子２２が一端側の通孔３１に位置し、受光素子２３が他端側の通孔３２に位置するよう取着基板２４ａ、２４ｂが貼り付けられる。こうして発光素子２２は光が通孔３１を通り、通孔３２を通った光は受光素子２３で受光できる。
本実施の形態でセンサ保持部材３は、両面に粘着面（接着面）を有する合成樹脂シートを使用したが、センサ保持部材を形成する材料は特に限定しない。
【００２２】
図４を参照して、医療用測定装置Ｓの組み立て手順を説明する。
装着体１には、装着体１を略「Ｊ」字形状に曲がった状態から変形させて略平板状にし、その上面に発光素子２２と受光素子２３を備えたセンサ保持部材３が、通孔３１，３２を露出するように重ねて接着される。このときセンサ保持部材３は、発光素子２２が設けてある側が、曲がっていた状態のときに短片側Ｂとなっていた装着体１の一端側に位置するように端部を合わせて設けられ、装着体１の形状を復帰させたときに、発光素子２２と受光素子２３が相対するように設けられる。
【００２３】
センサ保持部材３を接着した後は、更に装着体１を略平板状にした状態のままで、センサ保持部材３の上面に粘着層を覆うよう剥離シート４を設ける。装着体１は、センサ保持部材３と剥離シート４を設けた後に、「Ｊ」字形状に復帰させる。医療用測定装置Ｓは、このようにしてつくられる。
なお、本実施の形態で示す医療用測定装置Ｓは、予め略「Ｊ」字形状に形成した装着体１にセンサ保持部材３等を設けて組み立てたが、これは限定するものではなく、例えば、装着体１にセンサ保持部材３を設けた後に、装着体１を略「Ｊ」字形状に形成することもできる。
【００２４】
本実施の形態で装着体１は生分解性を有する合成樹脂で形成した。しかし、これは限定するものではなく、例えば、生分解性を備えない合成樹脂、金属、天然ゴム、合成ゴム、天然樹脂、木材、これらの混合物等で形成することもできる。
【００２５】
（作　用）
図１ないし図４を参照して、本実施の形態で示す医療用測定装置Ｓを指先に装着する際の作用について説明する。
医療用測定装置Ｓは、次のようにして装着される。
まず、剥離シート４を取り除き、粘着面を露出させる。
次に、装着体１の湾曲部１０より長片側Ａが指の背側に配置され、短片側Ｂが腹側に配置されるように、装着体１の形状に沿って曲がっているセンサ保持部材３の間に指先を差し込み、先端を湾曲部１０の内側に当てる。このとき装着体１は、長片側Ａと短片側Ｂの開き角度が自然に拡がり、指の太さに合うようになる。
そして、センサ保持部材３の粘着面を指先の表面に貼り付けて、固定した状態を維持する。
こうして装着体１を指先に装着することで、発光素子２２と受光素子２３が相対した状態で指先に取り付けられる。
【００２６】
このように医療用測定装置Ｓは、装着体１が保形性を有しており、発光素子２２と受光素子２３が装着体１において相対する位置に設けてあるので、指先に取り付けるだけで予め決められた位置関係を変えることなく、発光素子２２と受光素子２３を相対した位置に設けた状態で装着できる。
【００２７】
つまり、医療用測定装置Ｓは、指を差し込むだけで装着できるので、発光素子と受光素子の位置決めの手間を省くことができ、装着にあたって熟練を要さない。また、装着のし方に不備が生じ難く、測定値に対する信頼性も高い。
【００２８】
医療用測定装置Ｓは、装着体１が準剛性、可撓性または弾性を有する薄板状体で形成してあるので、上記のように長片側Ａと短片側Ｂの開き角度を変えて指の太さに合うようにすることが可能である。また、医療用測定装置Ｓの側方は、開放状態になっている。従って、医療用測定装置Ｓは、指の太さに関係なく、例えば、手や足の親指から小指までひとつのサイズのもので対応でき、また子供から大人まで同じものが使用できる。
更には、医療用測定装置Ｓは、長片側Ａと短片側Ｂの開き角度を拡げたり、狭めたりして挟むことができるように形成することで、鼻や耳たぶ等の測定箇所に対しても使用できる。
【００２９】
医療用測定装置Ｓは、通常、使い捨て式であり使用後は廃棄される。廃棄は、装着体１とセンサ装置とセンサ保持部材３とを分別して処理されるが、装着体１は生分解性を備える合成樹脂で形成してあるので処理が容易である。
【００３０】
本実施の形態で示す装着体１は、準剛性、可撓性または弾性を備えるように形成したが、これは限定するものではなく、例えば、剛性を備えたものを使用することもできる。
また、装着体１は、薄板状体を曲げて形成したものを示したが、これも限定するものではなく、例えば、筒状形状のものを使用することもできる。
【００３１】
本実施の形態で医療用測定装置Ｓは、先端が装着体１の湾曲部１０に当たるように指を差し込んで嵌めたが、指に対する医療用測定装置Ｓの装着形態はこれに限定するものではなく、例えば、湾曲部１０が指の側方に位置するように装着することもできる。
【００３２】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００３３】
【発明の効果】
本発明は上記構成を備え、次の効果を有する。
（ａ）本発明に係る医療用測定装置は、装着部を測定箇所に装着するときでも、予め相対した位置関係に配置された発光素子と受光素子とが、予め決められた位置関係を変えることなく装着できる。つまり、医療用測定装置は、装着部を測定箇所に取り付けるだけで発光素子と受光素子が相対した位置関係にあるように装着することができる。従って、発光素子と受光素子の位置決めの手間を省くことができ、装着にあたって熟練を要さない。また、装着のし方に不備が生じ難く、測定値に対する信頼性も高い。
【００３４】
（ｂ）装着部が、所要長さを有する板状体を曲げて、測定箇所を挟むことができる形状に形成してあるものは、装着体で測定箇所を挟むだけで装着できるので、装着が簡単であり熟練を要さない。
【００３５】
（ｃ）測定箇所に固定した状態を維持するための粘着または接着手段が設けてあるものは、粘着または接着手段を測定箇所に貼り付けることにより、医療用測定装置が測定箇所に固定された状態が維持できる。
【図面の簡単な説明】
【図１】本発明に係る医療用測定装置の一実施の形態を示す使用状態説明図。
【図２】図１に示す医療用測定装置の側面図。
【図３】センサ装置の発光素子や受光素子等をセンサ保持部材に備える状態を示す説明図。
【図４】装着体とセンサ保持部材と剥離シートを一体に設ける状態を示す分解斜視説明図。
【図５】従来の酸素飽和度測定装置を示す斜視説明図。
【図６】図５に示す酸素飽和度測定装置の使用状態説明図。
【符号の説明】
Ｓ　医療用測定装置
Ａ　長片側
Ｂ　短片側
１　装着体
１０　湾曲部
２０　外皮ケーブル
２１ａ　絶縁コード
２１ｂ　絶縁コード
２２　発光素子
２３　受光素子
３　センサ保持部材
３０　折り曲げ線
３１　通孔
３２　通孔
４　剥離シート
７０　近位指節間関節
７１　遠位指節間関節
９　酸素飽和度測定装置
９０　シート基材
９００　凹部
９１０　発光素子
９１１　受光素子
９２　センサ保持部材
９３　剥離シート
９２０　通孔
９２１　通孔
【図１】
2004049579.tif 000003
【図２】
2004049579.tif 000004
【図３】
2004049579.tif 000005
【図４】
2004049579.tif 000006
【図５】
2004049579.tif 000007
【図６】
2004049579.tif 000008